(57)【特許請求の範囲】
【請求項１】
自動車の内部の湿度を決定する方法であって、前記自動車は、前記自動車の外部の温度を測定する外部温度センサと、ルップアップテーブルが記憶されたコンピュータを有するＨＶＡＣシステムと、一体型のセンサアセンブリとを備えており、
（ａ）前記自動車の車室内の相対湿度を前記一体型センサアセンブリで測定するステップと、
（ｂ）前記相対湿度が所定値よりも低いか否かを判断するステップと、
を含んでおり、
前記相対湿度が前記所定値よりも低いと判断したとき、前記方法は、
（ｉ）前記自動車の乗員の数を決定するステップと、
（ｉｉ）前記乗員が放出する全体の絶対湿度を得るために、前記乗員の数に絶対湿度係数を乗じるステップと、
（ｉｉｉ）前記外部温度センサによって測定された自動車の外部の温度に基づいて、前記ルックアップテーブルから外部絶対湿度を決定するステップと、
（ｉｖ）前記車室の全体の絶対湿度を得るために、前記乗員が放出する全体の絶対湿度に前記外部絶対湿度を加えるステップと、
を含み、
前記絶対湿度係数は、実験によって決定される値であるとともに、平均的な人が放出する絶対湿度の値であり、
前記相対湿度が前記所定値よりも低くないと判断したとき、前記方法は、
（ｃ）前記車室の全体の絶対湿度を前記一体型のセンサアセンブリで測定された相対湿度として判定するステップを含むことを特徴とする方法。
【請求項２】
前記所定の値は１０％である請求項１に記載の方法。
【請求項３】
前記一体型のセンサアセンブリは、前記自動車の内部の温度をも測定する請求項１に記載の方法。
【請求項４】
前記自動車の内部の温度と前記車室の全体の絶対湿度とに基づいて前記自動車の内部における露点が算出される請求項３に記載の方法。
【請求項５】
車両のＨＶＡＣシステムであって、
車両の内部に設けられており前記車両の内部の相対湿度を測定する湿度センサと、
前記車両の乗員の数を決定する乗員検出装置と、
前記湿度センサと前記乗員検出装置とに接続されているＨＶＡＣ制御器と、
前記車両の外部の温度を測定する外部温度センサと、
を備えており、
前記ＨＶＡＣ制御器は、
前記湿度センサに測定された相対湿度が所定値以上のとき、前記車両の車室の全体の湿度を前記相対湿度として判定し、
前記湿度センサに測定された相対湿度が所定値よりも低いとき、前記乗員検出装置が決定した前記車両の乗員の数と絶対湿度係数とを乗じることによって得られた前記乗員が放出する全体の絶対湿度に外部絶対湿度を加算して前記車両の車室の全体の湿度を算出するように構成されており、
前記ＨＶＡＣ制御器にはルックアップテーブルが記憶されており、前記ＨＶＡＣ制御器は、前記外部温度センサが測定した前記車両の外部の温度に基づいて前記ルックアップテーブルから前記外部絶対湿度を決定し、
前記絶対湿度係数は、実験によって決定される値であるとともに、平均的な人が放出する絶対湿度の値であることを特徴とするシステム。
【請求項６】
前記所定値は１０％である請求項５に記載のシステム。
【請求項７】
前記湿度センサは、前記車両の内部の温度をも測定する一体型のセンサアセンブリである請求項５に記載のシステム。
【請求項８】
前記ＨＶＡＣ制御器は、更に、前記車両の内部の温度と前記車室の全体の絶対湿度とに基づいて、前記車両の内部における露点を算出するように構成されている請求項５に記載のシステム。
【発明の詳細な説明】
【技術分野】
【０００１】
本発明は、車両の環境制御システム及び方法に関する。詳しくは、本発明は、相対湿度が１０％未満のときのフォギング状態を自動的に検出するシステム及び方法に関する。
【背景技術】
【０００２】
従来の自動車の制御システムにおいて、車両の窓ガラスのフォギング（曇り）対策するための措置は、車両の乗員による手作業で行われている。通常、このような措置は、主に、車両用の暖房、換気及び空調システム（ＨＶＡＣシステム）を作動させてデフロストモードにする作業であり、この作業は、フォギング状態が発生した後で行われる。この場合、フォギング状態を低減させるのに或る程度の時間が必要となる。このようなシステムは、自動制御には適しておらず、また、迫り来るフォギング状態を予期するものではない。
【０００３】
自動ＨＶＡＣ制御システムを内蔵する車両において、フォギングが起こり得るのか否かを判断するために、内外の状況を感知することが提案されてきた。このようなシステムは、ガラス温度センサ及び湿度センサを備えている。ガラス温度センサは、フロントガラスの内側表面に取り付けられており、湿度センサは、フロントガラスに隣接して配設されている。該システムは、感知されたガラス温度と感知された車室内湿度とを利用して、フォギング状態が潜在的に存在するか否かを判断して、ＨＶＡＣシステムを作動させる。しかし、このようなシステムの場合、高額なセンサを追加して、多大な労力を費やして、ＨＶＡＣシステムに電気的に接続させるように設置する必要がある。
【０００４】
従って、上記の不都合を解消するためには、ガラス温度を算出する既存のセンサを使用して、所要のセンサの数を減らして車両に掛かる費用を減らすことが提言されてきた。この手法は、本願の出願人が譲受人となっている下記の特許文献１及び特許文献２に開示されており、この２件の特許文献の内容を本書の一部として含めることとする。この２件の文献において、ガラス温度は、車速と周囲温度とを測定する既存のセンサから得られたデータから算出される。また、この２件の文献に開示された方法は、車両内部の相対湿度を決定する湿度センサを使用している。
【０００５】
【特許文献１】米国特許出願第１０／８８１３４７号
【特許文献２】米国特許出願第１０／８８１４０６号
【発明の開示】
【発明が解決しようとする課題】
【０００６】
しかしながら、この湿度センサは、相対湿度が１０％未満であるときのような低レベルの湿度を測定及び感知する際には難儀する。従って、上記２件の特許文献に示された方法では、低湿度状態におけるＨＶＡＣシステムの応答性には限界がある。
【０００７】
従って、相対湿度が１０％未満のときに湿度を正確に検知することによって、低湿度状況下におけるフォギング状態を予期することができるシステム及び方法が当業界で求められている。
【課題を解決するための手段】
【０００８】
本発明の概念に従って自動車内の絶対湿度を検出する方法を提供することによって、上述の問題は解消される。この方法は、車室を形成するとともにＨＶＡＣシステムと一体型のセンサアセンブリと外部温度センサとを備える自動車を提供するステップと、自動車の乗員の数を算出するステップと、乗員が放出する全体の絶対湿度を得るために、乗員の数に絶対湿度係数を乗じるステップと、外部絶対湿度を決定するステップと、車室の全体の絶対湿度を得るために、乗員が放出する全体の絶対湿度に外部絶対湿度を加えるステップと、を含む方法である。
【０００９】
本発明の他の概念によると、自動車内の低レベルの湿度を検出する方法が提供される。この方法は、車室を形成するとともにＨＶＡＣシステムと一体型のセンサアセンブリと外部温度センサとを備える自動車を提供するステップと、車室内の相対湿度を一体型のセンサアセンブリで測定するステップと、相対湿度が所定値よりも低いか否かを判断するステップと、自動車の乗員の数を算出するステップと、乗員が放出する全体の絶対湿度を得るために、乗員の数に絶対湿度係数を乗じるステップと、外部絶対湿度を決定するステップと、車室の全体の絶対湿度を得るために、乗員が放出する全体の絶対湿度に外部絶対湿度を加えるステップと、を含む方法である。
【００１０】
本発明の上記以外の特徴及び効果は以下の説明を読むことによって当業者には明白となる。
【００１１】
本発明は、ある部品及び構成においては物理的な形態を有するものであり、これらの好適な実施例を以下で説明するとともに添付の図面で図示する。
【発明を実施するための最良の形態】
【００１２】
図１及び図２は、本発明の低湿度検出システムを備える自動防曇システムを内蔵している車両１０を示している。自動防曇システムは、車両のコンピュータによるＨＶＡＣシステムに内蔵されており、好ましくは、幾つかの動作モードを備える。以下で説明するＨＶＡＣシステムの一部を構成する自動防曇システムは、ＨＶＡＣシステムが自動動作モードにあるときに動作して、１つの動作又は連続する複数の動作を絶え間なく行うように意図されたシステムである。
【００１３】
自動動作モードにおいて、使用者は、所望の車室温度を設定し、ＨＶＡＣシステムのコンピュータ又は制御器は、車両固有の物理的特性に合わせたＨＶＡＣシステムの動作特性を示す１つ又はそれ以上の所定のプログラム及び各種センサからの信号に応じて必要な計算を行う。自動ＨＶＡＣ制御モードの際、空調装置（Ａ／Ｃ）の作動、通気孔の作動、及びファン速度の変更は、ＨＶＡＣシステムのコンピュータ又は制御器に記憶されたコンピュータアルゴリズムに従って自動的に制御される。
【００１４】
本発明は、後述する１つ又はそれ以上の更なるアルゴリズムを導入している。このアルゴリズムは、自動動作モードにおけるＨＶＡＣシステムの既存のアルゴリズムと関連して使用される。また、該アルゴリズムは、凝縮状態即ちフォギング状態を自動的に計算し、この計算に応じてＨＶＡＣシステムの作動（Ａ／Ｃ電力の制御、通気孔の制御、ファン速度の制御）を適正に行うように設計されている。更に、以下の説明から分かるように、本発明に従って、ＨＶＡＣシステムの応答は、凝縮即ちガラスが曇る可能性のレベルに応じて変化する。ＨＶＡＣシステムの基本的な動作特性は概ね当業界では周知なので、該システムの基本的な動作特性及び方法は、本発明の自動フォギング状態感知システム及び方法に関する部分についてのみ以降で説明する。
【００１５】
図１及び図２を参照すると、車両１０は、乗員室即ち車室を形成するボディと、乗員室の前部にあるダッシュボード１４に配設されているＨＶＡＣ制御及び表示パネル１２と、フロントガラス１６を含む一連の窓ガラスと、を備えている。ＨＶＡＣ制御及び表示パネル１２は、一連の個々のプッシュボタンでもよいが、好ましくは、使用者がスクリーン上の１つ又はそれ以上のメニューを介してＨＶＡＣシステムの動作を制御できるタッチスクリーン１２ａとして提供されている。例えば、使用者は、動作モード（フルオートモード／セミオートモード／手動モード）と、空調装置（Ａ／Ｃ）の動作と、新鮮な空気の取り入れ／空気の再循環と、を選択するとともに、空気流即ち通気孔出口（即ち、動作モードがセミオート又は手動モードであるときに、デフロスト用通気孔１８ａ、ダッシュボード用通気孔１８ｂ、フロア用通気孔１８ｃ、或いはこれらの通気孔の組み合わせ）を選択して、所望の車室温度を選択することができる。動作モードがフルオートモードのとき、使用者は所望の車室温度を入力して、ＨＶＡＣシステムは、該システムを適切に作動させる所定のコンピュータアルゴリズムに従って、感知された状況に応答する。通常、タッチスクリーン１２ａは、当業界では周知のナビゲーションスクリーン及びエンターテイメント・センター（entertainment center）等の他の様々な機能を提供する。
【００１６】
当業者には分かるように、車両１０の走行中に空気がフロントガラス１６上を通るとき、フロントガラス１６の温度は、通常、他の車両ガラスの温度とは異なり、特に、車両が高速で走行しているときには、周囲の温度と異なることがある。従って、従来の車両では、デフロスト用通気孔に空気を間断なく送り込んでいるので、フロントガラス１６は、フォギング状態の発生による影響をあまり受けにくいと考えられる。
【００１７】
車両１０は、更に、外部（周囲）温度センサ２０を備えており、該センサ２０は、車両１０の比較的前方位置に配設され、望ましくは、フロントバンパー内に配設される。通常、当業界では、周囲温度センサ２０の配置箇所として選ばれる箇所は様々であるので、本発明においても、周囲温度センサの位置は、実施例に示された位置に限定されるものではない。周囲温度センサは、現在、広く車両に設けられており、例えば、操作者は、ＨＶＡＣ制御及び表示パネル１２等の表示パネル又はスクリーン上に周囲温度を表示させることができる。
【００１８】
車両１０は、一体型の車室温度及び湿度センサモジュール２２即ち一体型の車室温度及び湿度センサアセンブリ２２を備えており、該アセンブリ２２は、図２に示されるように、車両のダッシュボードにおいてＨＶＡＣ制御及び表示パネル１２に隣接して配設される。このアセンブリ２２をダッシュボード１４上の比較的密閉された場所に配置することによって、太陽からの負荷等の環境による影響がセンサの動作に及ぼすことを防止する。更に、ダッシュボードにアセンブリ２２を配置することによって、組み付けの際に余分な工程を必要とすることなく、該アセンブリ２２を設置して、従来の配線に用いられるハーネスを介してＨＶＡＣ制御システムに該アセンブリ２２を電気的に接続することが比較的簡単となる。
【００１９】
一体型の車室温度及び湿度センサアセンブリ２２は、様々な理由で個別に設けられたセンサよりも好ましい。第１の理由として、この一体型のセンサアセンブリは、個々の即ちそれぞれ別個の複数のセンサに比べて、かなり安い費用で入手可能である。第２の理由として、車室内の温度及び湿度の双方を感知する単体の一体型センサアセンブリを１つの箇所で使用するので、所定の車両モデルに対して繰り返し一貫した結果が得られる。しかし、本発明の幾つかの概念においては、この好ましい一体型センサアセンブリを使用することは強制的なものではなく、むしろ、製造及び組立が比較的高価ではあるが個々の複数のセンサを互いに隣接させて配設させて該アセンブリと同等の機能性を持つように使用してもよい。更に、温度センサ及び湿度センサはフロントダッシュボードに配設されていることが好ましいが、該センサを配設する場所は必ずしもフロントダッシュボードである必要はない。むしろ、該センサは車両内のいろいろな場所に移動させてもよい。しかし、フロントガラスが曇ることを防止或いは低減させるのが本発明の概念であるので、センサの配設箇所は車室内の前方であることが望ましい。
【００２０】
しかし、車両内部の露点を決定するために温度と湿度とを車室内の同じ箇所で感知することが好ましい。温度センサ及び湿度センサが適正に校正されている限り露点は車室内では一定であるので、温度センサ及び湿度センサを配設する箇所は車室内の箇所であればどのような箇所でもよい。例えば、車室の後方或いは前部座席の間にあるセンタコンソールに該センサを配設させてもよい。
【００２１】
露点とは、空気中の水が凝縮する温度のことである。湿度とは、空気中の水蒸気の量のことであり、絶対湿度と呼ばれることもある。絶対湿度とは、空気の単位体積当たりに存在する水蒸気量のことであり、通常、ｋｇ／ｍ３で表される。相対湿度とは、詳しくは、所定の温度における空気中の水の量又は絶対湿度と、その所定の温度における空気中に含むことができる水の最大量と、の比であり、百分率で示される湿度のことである。相対湿度は、温度に依存し水を保持するための空気の能力を補うために調整可能である。露点は湿度に関係しており、湿度が上がるにつれて露点も上がる。従って、周囲の温度と湿度（絶対湿度及び相対湿度）と露点との間には周知の緊密な関係がある。このことから、絶対湿度又は相対湿度及び周囲の温度が特定されていれば、露点を容易に導き出すことができる。本発明は、周囲温度と湿度と露点との関係を利用して、車室温度と、車室の絶対湿度又は相対湿度と、に基づいて露点を算出する。
【００２２】
相対湿度センサが低レベル（即ち１０％未満）の湿度を正確に測定することは難しい。従って、本発明は、車室内の相対湿度次第で、絶対湿度或いは相対湿度を利用して露点を決定する。詳しくは、車室内での相対湿度のレベルが低い（即ち１０％未満の）場合、本発明は、相対湿度を測定するために一体型センサアセンブリ２２を使用することはない。むしろ、本発明は、後述するように、車室内の絶対湿度を算出し、この絶対湿度を利用して露点を決定する。反対に、車室内の相対湿度が１０％以上の場合、本発明は、車室内の相対湿度を測定するために一体型センサアセンブリ２２を利用する。従って、相対湿度が１０％以上の場合に、相対湿度を利用して露点を決定する。
【００２３】
図３のフローチャートは、本発明がどのように絶対湿度又は相対湿度を決定するのかを示している。上述したように、車室内の相対湿度が１０％未満であるとき、本発明は、絶対湿度を算出して露点を決定する。従って、ステップ５０において、本発明は、相対湿度（ＲＨ）が１０％未満であるか否かを判断する。相対湿度が１０％未満でないと判断した場合、ステップ５２に進み、一体型センサアセンブリ２２は、相対湿度（ＲＨ）を測定して、以下で説明する図４に従って動作する。ステップ５０において相対湿度が１０％未満であると判断した場合、ステップ５４において車両内における乗員の人数（Ｎ）を判断する。この人数の判断は、赤外線技術及び座席の重量センサ等の当業界では周知の手段によって行われる。このような手段は周知であるのでその説明は本書では省略する。乗員の数（Ｎ）が判明した後、ステップ５６に進み、車室内の全体の絶対湿度（ＡＨ）を以下の数式（１）を用いて算出する。
ＡＨ＝（Ｎ）Ｘ ＡＨ（係数）＋ＡＨ（周囲）・・・・・・・・・・・・・・・・（１）
ＡＨ（係数）とは、人が放出する絶対湿度の平均の量であり、ＡＨ（周囲）とは、車両の外側の空気の絶対湿度のことである。ＡＨ（係数）は、実験によって得られた係数であり、本発明者は、数多くの人の個々の絶対湿度を測定する実験を行った。この測定された全体の絶対湿度を人の数で割ることによって、平均的な人が放出する絶対湿度の平均の係数を得た。従って、ＡＨ（係数）に乗員の数（Ｎ）を乗じれば、車両内の乗員が放出する絶対湿度の全体量となる。ＡＨ（周囲）は、既存の周囲温度センサ２０で車両の外部の温度である外部（周囲）温度を測定し、好ましくはＨＶＡＣ制御器又はコンピュータに記憶されているルックアップテーブルから対応する絶対湿度を決定することによって、決まる。従って、周囲温度は周囲温度センサ２０を介してＨＶＡＣ制御器又はコンピュータに入力されて、対応する絶対湿度が決まり、この絶対湿度は、上述した乗員が放出する全体の絶対湿度に加算される。この方法により、車両内の湿度が１０％未満であるときの車両内の全体の絶対湿度を正確に決めることができる。全体の絶対湿度（ＡＨ）が決まると、図４に示される過程に進み、後述するように露点が決まる。
【００２４】
図４を参照すると、絶対湿度又は相対湿度が決まると、露点が決まる。露点は、ＨＶＡＣ制御器又はコンピュータに記憶されているルックアップテーブルを利用することによって決まる。言い換えれば、一体型センサアセンブリ２２によって測定される車室温度と、絶対湿度又は相対湿度とがＨＶＡＣ制御器又はコンピュータに入力されたとき、後述するように、対応する露点が出力されて更なる計算に使用される。
【００２５】
図４を更に参照すると、空気中の水蒸気は、露点又は露点より低い温度の表面上で凝縮することは周知である。従って、フロントガラス１６上で凝縮が起こる（フロントガラス１６が曇る）か否かを判断するためには、フロントガラス１６の温度を決定する必要がある。上述のように、フロントガラス１６の温度を直接測定することは可能である。しかし、フロントガラス１６の温度を直接測定するには、設置及び交換が高額で難しいセンサを追加する必要があるとともに、既存の構造（即ち、ダッシュボードアセンブリ）及び既存の組立作業に変更を加える必要がある。従って、フロントガラスの温度センサを別個に用意するのは好ましくない。フロントガラスの温度センサを別個に設ける代わりに、本発明者は、或る所定の車両において、車室の温度が所定温度（車両が暖まっていることを示す温度）よりも高いとき、フロントガラスの温度が車両の外部の温度（周囲温度）と車速との関数となることが実験を通じて分かった。車室の温度が所定温度（車両が冷えていることを示す温度）よりも低いとき、フロントガラスの温度は周囲温度と実質的に等しい。本発明は、このような事実を利用しており、感知された車室の温度に応じて、フロントガラスの温度を周囲温度と車速との関数又は周囲温度の関数として算出即ち推測する。この情報は、ＨＶＡＣ制御器又はコンピュータのルックアップテーブルに記憶されていることが好ましく、後述するように、周囲温度と車速とが入力されると、それに対応するフロントガラスの温度が出力されて更なる計算工程に使用される。
【００２６】
露点とフロントガラスの温度とが確定すると、以下の数式（２）に基づいてフォッグマージン（Fog Margin）と呼ばれる値が算出される。
フォッグマージン  ＝  フロントガラスの温度  ー  露点・・・・・・（２）
【００２７】
フォッグマージンは、以下で述べるように、ＨＶＡＣシステムを制御するための制御パラメータとして使用される。該フォッグマージンは、車室内の快適なレベルを制御し、このフォッグマージンによる制御は、感知された温度のみに基づいて行われる制御に比べて良好である。例えば、フォッグマージンを制御パラメータとして使用すれば、空調装置の過剰な動作が原因で車室内の空気が過剰に乾燥することを防止できる。
【００２８】
簡素化した制御システムにおいて、“露点”の定義に基づいて考えると、フロントガラスの温度が露点よりも高い温度である限り、フロントガラス上で凝縮は起こらない、即ち、フロントガラスは曇らない。反対に、フロントガラスの温度が露点以下である場合、フォギング状態が存在する（フロントガラス上に凝縮が起こる、即ち、フロントガラスが曇る）。従って、フロントガラスの温度が露点以下のときに適切な動作モード（Ａ／Ｃ及び又はデフロストモード）が作動するように、ＨＶＡＣシステムを制御することは可能である。このようなシステムは、ある状況においては良好に稼働し、フォギング状態の計算機能のないＨＶＡＣシステムに比べて良好な結果を確実に提供する。
【００２９】
しかし、本発明者は、凝縮即ちフォギング状態を予見するために露点とフロントガラスの温度とを算出することは、理論的には有効な推測に基づいてはいるが、フォギング状態の最適な制御、即ち、フォギング状態の防止にはならないことが分かった。更に、本発明者は、上記の算出工程では、起こり得るフォギング状態の可能性を予見できず、状況が凝縮（フロントガラスが曇ること）に適した状況となった場合にしか対応できないことが分かった。
【００３０】
従って、算出した露点と算出したフロントガラスの温度とを比較してＨＶＡＣシステムを制御する方法は、せいぜい、実際にフォギング状態が発生した後での対処方法であり、フォギング状態の最初の発生を防止する方法ではない。従って、上記の露点とフロントガラスの温度との比較に基づく制御システムは、フォギング状態に対する反応型のシステムであり、予見型のシステムではない。更に、算出した露点と算出したフロントガラスの温度とを比較してＨＶＡＣシステムを制御するのは不完全な手法であり、フォギング状態が実際に存在するときに該フォギング状態を示す結果を常に提供することはできないことが実験を通じて分かった。このような欠点は、各種の環境（例えば、太陽からの負荷、風、雨、雪等）の変化と、車両に使用されるセンサ（例えば、湿度センサ、温度センサ）が抱える固有の不正確さと、がもたらす結果であると考えられている。
【００３１】
従って、本発明者は、所定の周囲温度とガラス温度において、凝縮が起こる即ちガラスが曇る湿度として算出された湿度と、凝縮が起こる即ちガラスが曇る実際の湿度と、の間には差が存在することが分かった（この差を以降、曇り予想度（fog predictability）と称する）。本発明者は、また、湿度センサの精度（以降、センサ精度と称する）が車室内の相対湿度を決める精度の一因となっていることが分かった。従って、本発明者は、曇り予想度及びセンサ精度が相対湿度の不適切な推測をもたらし、結果として、露点の不正確な算出を招くものであると判断した。この曇り予想度及びセンサ精度による不正確さを補うために、感知した相対湿度を、湿度マージン（humidity margin）と呼ばれる係数で調整する。湿度マージンは以下の数式（３）を用いて算出される。
湿度マージン（％）＝  曇り予想度（％）＋  センサ精度（％）・・・・（３）
上記の数式（３）において、曇り予想度及びセンサ精度は定数である。
【００３２】
湿度マージンが決まると、露点マージンが図５及び図６に示されるように決まる。詳しくは、図６は、車室温度と露点との関係を示すグラフであり、感知した相対湿度を湿度マージンで調整することが露点マージンに対応することを示している。露点マージンとは、上述したように感知した相対湿度の予想される誤差を補うための露点の上げ幅又は下げ幅のことである。露点マージンは、以下で述べるように、感知したフォギング状態に対する応答を調整するとともにフォギング状態即ち曇りを防止するためにＨＶＡＣシステムを制御する制御パラメータ即ち設定値として使用される。
【００３３】
本発明者は、曇り予想度が３％でありセンサ精度が５％であることが実験を通じて分かった。従って、上記の数式（３）に従い、湿度マージンは８％となる。８％の湿度マージンは２．３℃の露点マージンに対応しており、この露点マージンの値を繰り上げて３℃とする。従って、算出されたフロントガラスの温度が露点よりも３℃以上高い温度である限り、フォギング状態は発生しない。曇り予想度は、本発明の自動防曇システムが装備される車両のモデル毎に実験を行って決定する必要がある。更に、湿度センサのセンサ精度は型及びモデル毎に変わるので、センサ精度は実験を通じて確認する必要がある。
【００３４】
図７及び図８を参照すると、本発明の制御方法が示されている。図７及び図８において、露点マージンをＤＰＭとして称し、フォッグマージンをＦＭと称することとする。まず、ステップ１００において、フォッグマージンが露点マージン（ＤＰＭ）と第１の所定量Ａとの和以上であるか否かを判断する。即ち、ＦＭ≧ＤＰＭ＋Ａの場合、フォッグマージンは高いので、曇る恐れはない（図８参照）。制御方法はステップ１０２に進む。ステップ１０２において、周囲の空気の温度（Ｔam）が第１の所定温度Ｄ以下であるか否かを判断する。Ｔａｍが第１の所定温度Ｄ以下の場合、ステップ１０３において、ＨＶＡＣシステムの通気孔の出口温度（ＴＡＯ）が第２の所定温度Ｅ以上であるか否かを判断する。ＴＡＯの算出は、当業界では周知であり、感知した車室の温度、太陽からの負荷、周囲温度等の数多くのパラメータに基づいて行われるが、主に、使用者が入力する所望の車室温度の目標値に基づいて行われる。算出された出口温度（ＴＡＯ）は、ファン速度及び通気孔の選択の制御を行う自動動作モードによく使用されることは当業界では周知であり、また、前述の記載から分かるように、制御システムのある部分においてこのような制御に変更を加えて応答性を向上させるのは当業界では周知である。本件の場合、ＴＡＯが第２の所定温度Ｅ以上である場合、防曇目的の空調は不要であると判断して、Ａ／Ｃをオフにして（ステップ１０４）、ファン速度及び通気孔の選択は、ＴＡＯに従い、ＨＶＡＣ制御器によって制御される。
【００３５】
しかし、ステップ１０３において、ＴＡＯが第２の所定温度Ｅ以上でない場合、エバポレータの温度に関係する空調装置の動作は、グラフで示される好ましくは線形で示される所定の関係に従って、フォッグマージンに基づき最大電力と最小電力との間で変化する（ステップ１０６）。所定の関係に従って、空調装置は、フォッグマージン（ＦＭ）が露点マージンと等しいときには最大電力（即ち、最低のエバポレータ温度Ｔevap＝３℃）で動作する。また、空調装置は、フォッグマージンが露点マージンと第１の所定量Ａとの和以上（ＦＭ≧ＤＰＭ＋Ａ）であるときには最小電力（即ち、最高のエバポレータ温度Ｔevap＝９℃）で動作する。図示されるように、ＦＭ＝ＤＰＭとＦＭ＝ＤＰＭ＋Ａとの間では、エバポレータ温度は線形的に変化するので、空調装置の動作（電力）も線形的に変化する。ステップ１０３でＴＡＯが第２の所定温度Ｅ以上でない場合においては、フォッグマージンは、（ステップ１００で判断されたように）露点マージンと所定量Ａとの和以上であるので、空調装置は、最小電力を設定して（例えば、最高のエバポレータ温度Ｔevap＝９℃で）動作する。
【００３６】
ステップ１０６のグラフには示されていないが、フルオート動作モードを維持する際、ファン速度と通気孔の選択は、算出された出口温度（ＴＡＯ）の関数となる所定の関係に従ってＨＶＡＣ制御器によって決定される。
【００３７】
ステップ１０２において、周囲温度（Ｔam）が第１の所定温度Ｄよりも高いと判断した場合、ステップ１０６において、空調装置は、上述の所定の関係に従って制御される。従って、フォッグマージンが露点マージンと所定量Ａとの和以上であると判断されているので、空調装置は、最小電力を設定して（エバポレータ温度＝９℃で）動作する。前述したように、ファン速度及び通気孔の選択は、ＴＡＯに応じて即ちＴＡＯの関数としてＨＶＡＣ制御器によって制御される。
【００３８】
ステップ１００において、フォッグマージンが露点マージンと所定量Ａとの和よりも小さいと判断された場合、ステップ１０８において、フォッグマージンが露点マージン以上（ＦＭ≧ＤＰＭ）であるか否かを判断する。フォッグマージンが露点マージン以上である場合、曇る恐れが多少ある（図８参照）。従って、曇り即ち凝縮を防止するための措置を取る必要がある。従って、ステップ１０６において、空調装置は、上記の所定の関係に従って制御されて、空調装置の電力／エバポレータ温度が露点マージンと相関関係を持つ。前述の説明を参照すると、フォッグマージンは、ステップ１００及びステップ１０８において、露点マージンと、露点マージンと所定量Ａとの和と、の間にある（即ち、ＤＰＭ≦ＦＭ＜ＤＰＭ＋Ａ）と判断されているので、空調装置は、（ＦＭ＝ＤＰＭのときの）最大電力の設定値と、（ＦＭ＝ＤＰＭ＋Ａのときの）最小電力の設定値と、の間において対応する電力の設定値で動作する。前述のステップと同様に、ファン速度及び通気孔の選択は、算出された出口温度（ＴＡＯ）に対する所定の関係に従って制御される。
【００３９】
一方、ステップ１０８において、フォッグマージンが露点マージン以上ではないとき（即ち、ＦＭ＜ＤＰＭのとき）、曇り即ち凝縮が起こる危険性が高くなる（図８参照）。また、フロントガラス上において凝縮が既に起きている即ちフロントガラスが既に曇っている可能性がある。このような状況は、車両が最初に走り出したとき或いは車両がある程度の時間走行した後で自動制御が開始したときに起こり得るものである。従って、以下で述べるステップにおいては、ガラスが曇る可能性のある状況に対する応答は、フォッグマージン及び周囲温度に基づいて決定される。
【００４０】
ステップ１１０において、フォッグマージンが露点マージンから第２の所定量だけ引いた値よりも大きいか否かを判断する。フォッグマージンが露点マージンから第２の所定量だけ引いた値よりも大きい場合（即ち、ＤＰＭ＞ＦＭ≧（ＤＰＭ−Ｂ）の場合）、ステップ１１２において、周囲温度（Ｔam）が第２の所定周囲温度（Ｆ）以上か否かを判断する。この点に関し、第２の所定周囲温度はかなり低い温度であることと、凝縮が起こる恐れは温度が低下するにつれて高くなることとを考慮する。従って、制御システムの応答は、温度が第２の所定周囲温度（Ｆ）以上か該温度（Ｆ）よりも低いのかに依存する。
【００４１】
周囲温度が第２の所定周囲温度以上（Ｔam≧Ｆ）の場合、ＨＶＡＣの動作モード（通気孔の選択）は、出口温度（ＴＡＯ）との所定の関係に従って制御され、ファンは、僅かに高い速度（１．５Ｖ＋ＴＡＯによって決定したファン速度）で稼働し、空調装置は、最大電力（Ｔevap＝３℃）で動作する。
【００４２】
周囲温度が第２の所定周囲温度よりも低い（Ｔam＜Ｆ）の場合、より強力な応答が指示される。従って、ステップ１１６において、デフロスト用通気孔及びフロア用通気孔が作動し（モード＝Ｈ／Ｄ）、空調装置は最大電力（Ｔevap＝３℃）で動作し、ファンは、比較的高い速度（３Ｖ＋ＴＡＯによって決定したファン速度）で稼働する。
【００４３】
ステップ１１０において、フォッグマージンが露点マージンから第２の所定量Ｂを引いた値以上でないと判断した場合（即ち、ＦＭ＜ＤＰＭ−Ｂの場合）、ステップ１１８において、相対湿度が所定の相対湿度の値以上（ＲＨ≧Ｃ％）であるか否かを判断する。従って、相対湿度が所定の相対湿度の値よりも低い場合（即ち、ＲＨ＜Ｃ％の場合）、フォッグマージンが低くても、凝縮が起こる恐れは比較的低いと判断されて、ステップ１１２において、上述したようにＨＶＡＣシステムが適切に応答する。
【００４４】
相対湿度が所定の相対湿度の値（Ｃ）以上である場合、ステップ１２０において、周囲温度（Ｔam）は、ステップ１１２と同様に、第２の所定周囲温度（Ｆ）と比較される。しかし、フォッグマージンがかなり小さく、場合によっては、負の値であるので、より強力な応答が必要となる。
【００４５】
従って、ステップ１２０において、周囲温度が第２の所定周囲温度以上である判断した場合、ステップ１２２において、動作モードは、上述したように出口温度（ＴＡＯ）によって制御され、ファンは、中程度の高い速度（４Ｖ＋ＴＡＯによって決定される速度）で稼働し、空調装置は、最大電力（Ｔevap＝３℃）で動作する。ステップ１２０において、周囲温度が第２の所定周囲温度よりも低いと判断した場合、ステップ１２４において、デフロスト用通気孔が作動し、空調装置は最大電力（Ｔevap＝３℃）で動作し、ファンは、高い速度の設定値（６Ｖ＋ＴＡＯによって決定される速度）で稼働する。
【００４６】
上記の制御ロジックを使用する試験は発明者によって行われ、上記の所定量又は所定値としての適切な値を決定した。即ち、露点マージンは前述のように３であり、第１の所定量Ａは８であり、第２の所定量Ｂは４（露点マージン＋１）であり、所定の相対湿度の値Ｃは１１％であり（この値は、センサが感知可能な値の下限値に好ましくは等しい値であるか又は該下限値よりも僅かに大きい値である）、第１の所定周囲温度Ｄは１８℃であり、所定の出口温度（ＴＡＯ）Ｅは１２℃であり、第２の所定周囲温度Ｆは８℃であった。
【００４７】
これらの値は、車両毎に異なり上記の数値に限定されるものではない。むしろ、当業者は、制御システムが設置されている車両に関する単純な実験に基づく適した値に換えることによって、低レベルの相対湿度（即ち、１０％未満）を検出する機能を含む本発明の自動防曇制御装置を再形成できる。
【００４８】
本発明は、感知した状態と算出した値と所定の値とに基づいて、低費用で効率的な自動防曇制御システムを提供できるように互いに強力する幾つかの関連発明を開示している。例えば、本願は、周囲温度と車速とに基づいてフロントガラスの温度を算出する装置及び方法と、所定値である曇り予想精度及びセンサ精度に基づいて露点マージンを算出する装置及び方法と、感知した車室の相対湿度及び温度と算出したフロントガラスの温度との関数としてフォッグマージンを決定する装置及び方法と、ＨＶＡＣの動作を制御するためにフォッグマージンを利用する装置及び方法、詳しくは、算出したフォッグマージンに基づいてＨＶＡＣの応答を調整する装置及び方法と、フォッグマージンに基づく応答を算出された露点マージンで補う方法と、低湿度レベル（即ち１０％未満）の状況下で相対湿度を検出する装置及び方法と、を開示する。
【００４９】
本発明の実施例を説明及び図示したが、これらの実施例は、例示にすぎず、本発明を限定するものではなく、本発明は特許請求の範囲によってのみ解釈されるものである。
【図面の簡単な説明】
【００５０】
【図１】本発明のシステムを備えるとともに本発明の方法を実行する典型的な車両を示す図。
【図２】本発明を備える車両内部の上面図。
【図３】車両内部の絶対湿度を決定する方法のフローチャートを示す図。
【図４】フォッグマージンを決定する方法のフローチャートを示す図。
【図５】曇り予想度とセンサ精度とに基づいて露点マージンを決定する方法のフローチャートを示す図。
【図６】車室温度と露点との関係及び露点マージンを示したグラフを示す図。
【図７】本発明に係わる車両の防曇状態制御方法のフローチャートを示す図。
【図８】フォッグマージンと凝縮とＨＶＡＣの動作とファン速度と通気孔の制御との関係を示す図。
【符号の説明】
【００５１】
１０  自動車
２２  一体型のセンサアセンブリ
２０  外部温度センサ
Ｎ    自動車の乗員の数
ＡＨ（係数）絶対湿度係数
ＡＨ（周囲）外部絶対湿度
ＡＨ  車室の全体の絶対湿度
【図１】
0004839354.tif 000002
【図２】
0004839354.tif 000003
【図３】
0004839354.tif 000004
【図４】
0004839354.tif 000005
【図５】
0004839354.tif 000006
【図６】
0004839354.tif 000007
【図７】
0004839354.tif 000008
【図８】
0004839354.tif 000009